(57)【要約】【課題】処理槽への膜濾過ユニットの出し入れを容易に行えるとともに、浮力が作用することで膜濾過ユニットの姿勢が不安定になるのを防止することができる膜分離装置を提供する。【解決手段】ばっ気槽４の原水に浸漬して該原水に含まれる不純物を分離除去する膜濾過ユニット５を備えた膜分離処理装置において、  膜濾過ユニット５の上部とばっ気槽４の側壁３８上部との間をユニット側ブレス３６、槽壁側ブレス３９およびターンバックル４５からなる支持部材で連結して膜濾過ユニット５をばっ気槽４の原水内で保持したことを特徴とする【選択図】図２
2008194556.tif 000002
【特許請求の範囲】
【請求項１】
処理槽の原水に浸漬して該原水に含まれる不純物を分離除去する膜濾過ユニットを備えた膜分離処理装置において、
前記膜濾過ユニットの上部と前記処理槽の側壁上部との間を支持部材で連結して前記膜濾過ユニットを前記処理槽の原水内で保持したことを特徴とする膜分離処理装置。
【請求項２】
前記支持部材が前記処理槽の原水の水面よりも上方で長さ調整可能に構成されていることを特徴とする請求項１に記載の膜分離処理装置。
【請求項３】
前記支持部材が前記膜濾過ユニットの四隅に配置され、前記膜濾過ユニットに一端が支持されるユニット側ブレスと、前記処理槽に一端が支持される槽壁側ブレスと、前記ユニット側ブレスの他端のネジ部と前記槽壁側ブレスの他端のネジ部とに螺合するターンバックルとを有し、該ターンバックルを介して前記ユニット側ブレスと前記槽壁側ブレスとの距離が調整可能に構成されていることを特徴とする請求項２に記載の膜分離処理装置。
【発明の詳細な説明】
【技術分野】
【０００１】
この発明は、膜分離処理装置に関するものである。
【背景技術】
【０００２】
従来から、好気性の処理槽内において原水の固液分離を行う膜濾過ユニットを備えた膜分離処理装置が知られている。この膜分離処理装置では、処理槽内に中空糸膜などの複数のフィルタを備えた膜濾過ユニットを浸漬して吸引濾過することで、処理槽の原水内に含まれる不純物を分離除去している。このような浸漬型の膜濾過ユニットを用いる場合、原水中に含まれる懸濁物質や有機物等が膜の一時側に付着して目詰まりを起こすいわゆる膜のファウリングが経時的に進行してしまう。このため、膜濾過ユニットの下部に散気発生装置を配置して、この散気発生装置から放出される気泡によって膜のエアスクラビング（バブリング）洗浄を行うようになっている（例えば、特許文献１参照）。
【０００３】
また、このような膜分離処理装置では、メンテナンスの都合上、処理槽からの膜濾過ユニットの出し入れが容易であることが好ましいため膜濾過ユニットを固定せずに、直接的に処理槽内に載置する、位置固定も兼ねてガイドレールに沿って処理槽内に載置する、あるいは、槽壁に懸垂させるなどの方法を取っている。
【特許文献１】特開２００４−３０５８８５号公報
【発明の開示】
【発明が解決しようとする課題】
【０００４】
しかしながら、上述した膜分離処理装置では、膜濾過ユニットが処理槽に固定されずに載置されているため、膜濾過ユニットの下部に設けられた散気発生装置に空気を送り込むと、この空気による浮力が作用して原水中の膜濾過ユニットの姿勢が不安定になる場合がある。そして、この浮力の影響は、膜濾過ユニットが小型になるほど顕著になる。
このため、この膜濾過ユニットの姿勢を安定させるべく、例えば、膜濾過ユニットに脚部を設けてこの脚部を処理槽の底部に固定してしまうと、膜濾過ユニットを出し入れする時に原水中で脚部の着脱作業を行うか、または、一時的に原水を処理槽から抜いて脚部の着脱作業を行う必要が生じ、作業者の負担が増加するという課題がある。
【０００５】
そこで、この発明は、処理槽への膜濾過ユニットの出し入れを容易に行えるとともに、浮力が作用することで膜濾過ユニットの姿勢が不安定になるのを防止することができる膜分離装置を提供するものである。
【課題を解決するための手段】
【０００６】
上記課題を解決するために、請求項１に記載した発明は、処理槽（例えば、実施の形態におけるばっ気槽４）の原水に浸漬して該原水に含まれる不純物を分離除去する膜濾過ユニット（例えば、実施の形態における膜濾過ユニット５）を備えた膜分離処理装置において、前記膜濾過ユニットの上部と前記処理槽の側壁（例えば、実施の形態における槽壁３８）上部との間を支持部材（例えば、実施の形態におけるユニット側ブレス３６、槽壁側ブレス３９、ターンバックル４５）で連結して前記膜濾過ユニットを前記処理槽内で保持したことを特徴とする。
【０００７】
請求項２に記載した発明は、前記支持部材が前記処理槽の原水の水面よりも上方で長さ調整可能に構成されていることを特徴とする。
【０００８】
請求項３に記載した発明は、前記支持部材が前記膜濾過ユニットの四隅に配置され、前記膜濾過ユニットに一端が支持されるユニット側ブレス（例えば、実施の形態におけるユニット側ブレス３６）と、前記処理槽に一端が支持される槽壁側ブレス（例えば、実施の形態における槽壁側ブレス３９）と、前記ユニット側ブレスの他端のネジ部（例えば、実施の形態における雄ネジ部３６ａ）と前記槽壁側ブレスの他端のネジ部（例えば、実施の形態における雄ネジ部３９ａ）とに螺合するターンバックル（例えば、実施の形態におけるターンバックル４５）とを有し、該ターンバックルを介して前記ユニット側ブレスと前記槽壁側ブレスとの距離が調整可能に構成されていることを特徴とする。
【発明の効果】
【０００９】
請求項１に記載した発明によれば、膜濾過ユニットを処理槽の原水内に浸漬した状態で膜濾過ユニットの上部と処理槽の側壁上部との間を支持部材で連結することで、膜濾過ユニットに作用する浮力に対向して処理槽内に膜濾過ユニットを確実に保持することができるため、処理槽への膜濾過ユニットの出し入れを容易に行えるとともに膜濾過ユニットが浮力によって不安定になるのを防止できる効果がある。
【００１０】
請求項２に記載した発明によれば、原水の水面より上方で支持部材を調整することができるため、安定的に膜濾過ユニットを処理槽内に保持することが可能となる効果がある。
【００１１】
請求項３に記載した発明によれば、処理槽内の原水に浸漬された膜濾過ユニットの上端に複数のユニット側ブレスの他端が支持され、また、処理槽の槽壁上部に複数のユニット側ブレスの他端が接続され、これらユニット側ブレスと槽壁側ブレスとの距離がターンバックルによって調整可能に接続されることで、処理槽の槽壁上部から槽壁側ブレス、ターンバックルおよびユニット側ブレスの順に槽壁上部から下方に向かって直線状に連なって膜濾過ユニットに至るため、膜濾過ユニットの四隅を上方から押さえつけた状態で保持することができるため、浮力により膜濾過ユニットの姿勢が不安定になるのを防止することができる効果がある。
【００１２】
また、槽壁側ブレスとユニット側ブレスとをターンバックルによって水面より上方で接続することができるため、メンテナンスなどで膜濾過ユニットの出し入れ作業を行う際に、例えば膜濾過ユニットに脚部を設けて処理槽底部に固定する場合と比較して、原水中での作業を行ったり、原水を処理槽から抜く必要がない分、作業者の負担を軽減することができる効果がある。
【発明を実施するための最良の形態】
【００１３】
以下、この発明の実施の形態を図面に基づいて説明する。
図１に示すように、この実施の形態の膜分離活性汚泥処理装置は、排水中の比較的大きな固形分を除去する微細目スクリーン１を備えており、この微細目スクリーン１を通過させた排水を原水調整槽２に導入するようになっている。
【００１４】
原水調整槽２は、微細目スクリーン１を通過した排水を貯留するものであって、この排水液面を図示せぬ液面計測器によって測定可能になっている。この測定結果に基づいて、原水調整槽２の出口管路に設けられた第１送液ポンプＰ１を間欠作動することで原水調整槽２内の液面高さを所定の範囲内で調整するように構成されている。
【００１５】
また、原水調整槽２には、出口管路を介して無酸素槽３が接続されている。この無酸素槽３はいわゆる脱窒反応を行うものであり、この無酸素槽３中の原水は、ばっ気によって酸化反応を行うばっ気槽（処理槽）４との間で循環可能になっている。ここで、原水調整槽２から第１送液ポンプＰ１によって無酸素槽３に送られた原水は、無酸素槽３から溢流し、この溢流した原水がばっ気槽４に流れ込む。
【００１６】
ばっ気槽４は、多数基の膜濾過ユニット（膜分離手段）５が浸漬され、この膜濾過ユニット５によって原水に含まれる懸濁物質や有機物等の固体と処理水とに固液分離される。この膜濾過ユニット５のそれぞれに管路２２ａが接続され、管路２２ａは、それぞれ吸引ポンプＰｖが介装された吸引管路２２に合流接続されており、この吸引ポンプ（Ｐ）Ｐｖを吸引作動させることで、原水が膜濾過ユニット５にて活性汚泥と処理水とに分離されるようになっている。なお、管路２２ａには、それぞれ開閉バルブ２３が介装されている。
【００１７】
また、ばっ気槽４には、汚泥貯留槽７が接続されている。この汚泥貯留槽７には、ばっ気槽４内にてばっ気処理されて生育した汚泥の固形分が自重で槽底部へと沈殿したものが貯蔵されるようになっている。さらに、ばっ気槽４には、膜濾過ユニット５にて固液分離されて得られた処理水を一時的に貯める処理水槽８が接続されており、この処理水槽８に貯められた処理水が出口管路を介して適宜排水されるようになっている。また、ばっ気槽４内部の汚泥の一部は第２送液ポンプＰ２によって無酸素槽３へ返送されて循環するようになっている。
【００１８】
膜濾過ユニット５は、複数枚の分離膜エレメント９ａ（後述する）を並列させて支持固定した分離膜モジュール９と、この分離膜モジュール９の下方に所要の間隔を置いて配置され、分離膜モジュール９の膜をエアスクラビング（またはバブリングとも言う）により洗浄する散気発生装置１５とを備えている。この散気発生装置１５には、途中に流入空気量を調整する開閉バルブ１９が設けられた分岐送気管１６と、分岐送気管１６が複数分岐接続された主送気管１８とを介して空気を圧送するブロア２０が接続されている。なお、分離膜モジュール９を構成する分離膜は、その形には特に限定されず、平膜タイプ、中空糸膜タイプ、管状膜タイプ、袋状膜タイプ等の形状の分離膜を適用することができる。その材質としても特に限定されず、セルロース系、ポリオレフィン系、ポリスルフォン系、ポリビニルアルコール系、ポリメチルメタクリレート系、ポリビニリデンフルオライド、ポリ４フッ化エチレン、セラミック等を適用することができる。また、本発明に使用される膜の孔径としては、特に限定されるものではなく、一般に限外ろ過膜と呼ばれる孔径０．００１〜０．１μｍのもの、または一般に精密ろ過膜と呼ばれる孔径０．１〜１μｍのもの、あるいはそれ以上の孔径のものを用いることが可能である。
【００１９】
この膜分離活性汚泥処理装置によれば、原水は無酸素槽３及びばっ気槽４において、活性汚泥により生物学的に浄化される。窒素の除去は、無酸素槽３とばっ気槽４との間で汚泥を循環させることにより、いわゆる硝化脱窒反応によってなされる。生物化学的酸素要求量（ＢＯＤ）に換算される有機物は、主としてばっ気槽４内に配置されたばっ気装置である膜濾過ユニット５の空気排出部から排出される空気により好気的に酸化され分解される。またリンの除去は、汚泥中の微生物（リン蓄積細菌）の作用によりポリリン酸として微生物の体内に取り込まれることにより行われる。この微生物は好気状態においてリンを取り込み、嫌気状態において体内に蓄えたリンを放出する。リン蓄積細菌は嫌気状態、好気状態を繰り返して晒されると、嫌気状態で放出したリンの量より多くのリンを好気状態で吸収する。
【００２０】
また、生物由来の排泄物や死骸などの窒素化合物の一部は、肥料として植物やバクテリアに同化される。また、こうした窒素化合物の一部は、酸素の多い好気条件下で独立栄養アンモニア最近や独立亜硝酸酸化細菌により、亜硝酸、硝酸へと酸化される。他方、酸素がない嫌気条件下では、脱窒菌と呼ばれる微生物が酸素に代わって硝酸から亜硝酸を生成し、さらには一酸化ニ窒素、窒素ガスへと還元する。この還元反応が上記硝化脱窒反応と称される。
【００２１】
無酸素槽３及びばっ気槽４の間での汚泥の循環は、どちらの槽からポンプを用いて送液するかは必ずしも限定されないが、通常は第２送液ポンプＰ２を用いてばっ気槽４から無酸素槽３へと送液し、無酸素槽３から溢流によってばっ気槽４に流入させる。ここで、ばっ気槽４からの循環液が無酸素槽３に入る部位における溶存有機物濃度（以下、ＤＯＣと呼ぶ）を０．２ｍｇ／Ｌ以下、および、ばっ気槽４より循環液を取り出す部位のＤＯＣを０．５ｍｇ／Ｌ以下のうち少なくともいずれかの条件とすると安定化するため好ましい。なお、ＤＯＣの測定は隔膜電極法による通常のＤＯ計を用いて測定することができる。
【００２２】
ばっ気槽４からの循環液を取り出す部位６のＤＯＣを０．５ｍｇ／Ｌ以下とするためには、ばっ気槽４から無酸素槽３へ汚泥を取り出す部位を汚泥の滞留部とすることが好ましい。汚泥の滞留部とは、ばっ気による汚泥の流動の影響を受けにくい部位を意味する。例えば、膜濾過ユニット５とばっ気槽４の底部との間に空間を設けてやると、膜濾過ユニット５の下の部分に存在する汚泥はよく攪拌されないため滞留部となる。
【００２３】
したがって、図１に示すように、膜濾過ユニット５の位置よりも下から汚泥を取り出すことにより、ばっ気槽４より循環液を取り出す部位６のＤＯＣを０．５ｍｇ／Ｌ以下とすることができる。なお、ばっ気槽４内に複数基の膜濾過ユニット５が並列状態で配置されている場合は、循環液を取り出す部位６を散気発生装置１５の下方とする。また、膜濾過ユニット５から汚泥を取り出す部位までは２０ｃｍ以上下方に離間することが好ましく３０ｃｍ以上離間することがさらに好ましい。
【００２４】
ばっ気槽４内における汚泥の流動は、主として膜濾過ユニット５によるばっ気部分において空気の噴出し口から気泡の上昇に伴って汚泥も上昇し、ばっ気されていない部分において汚泥が下降し、これにより全体が攪拌される。この際、ばっ気槽４内の汚泥の酸素利用速度を高く維持すると、ばっ気されていない部分で酸素が急速に消費されることからばっ気槽４中溶存酸素が低くなる部位を形成しやすくなる。ここで、ばっ気槽４内の汚泥の酸素利用速度とは、ばっ気槽４のばっ気されている部分から取った汚泥の酸素利用速度をいい、測定方法は下水道試験方法（１９９７年、社団法人日本下水道協会）にしたがって求めることができる。
【００２５】
ここで、図２，３に示すように、上述したばっ気槽４に沿って吸引管路２２と主送気管１８とが配管されており、ばっ気槽４内には、膜濾過ユニット５が浸漬されている。膜濾過ユニット５は、中空糸膜モジュール９と散気発生装置１５を収容する断面略矩形の筒状の枠体３０を備えており、この枠体３０の側壁３１のうち、上記吸引管路２２と主送気管１８とが配置されている側の側壁３１の上部に中空糸膜モジュール９に連通するポート３２が配置され、一方、側壁３１の下部に散気発生装置１５に連通するポート３３が配置されている。
【００２６】
そして、ポート３２には、管路２２ａの一方の端部が接続されており、ポート３３には、分岐送気管１６の一方の端部が接続されている。ここで、管路２２ａの他方の端部はフランジ３４を介して吸引管路２２に接続され、分岐送気管１６の他方の端部はフランジ３５を介して主送気管１８に接続される。なお、図２，３では図示都合上、図１に示す分岐送気管１６に介装された開閉バルブ１９および、管路２２ａに介装された開閉バルブ２３を省略している。
【００２７】
上述した枠体３０には、その上端の四隅にユニット側ヒンジ３７がそれぞれ設置されており、これらのユニット側ヒンジ３７にはそれぞれユニット側ブレス３６の基側が上下方向に揺動自在に支持されている。ユニット側ブレス３６は、略棒状に形成された部材であり、その端部には雄ネジ部３６ａが形成されている。
【００２８】
ここで、各ユニット側ブレス３６は、図２，３に示す膜濾過ユニット５の位置が保持された状態において、枠体３０上端の四隅である各角部から外側且つ上方に向かう所定の角度でユニット側ヒンジ３７に支持される。そして、ユニット側ブレス３６は、所定の角度となった際に、雄ネジ部３６ａがばっ気槽４の原水の水面よりも上方に配置される十分な長さを有している。ここで、上記所定の角度とは、図２，３に示す膜濾過ユニット５を固定した際に、膜濾過ユニット５前後左右上下方向への変位を効率よく規制できる角度であり、例えば、膜濾過ユニット５の重心位置と四隅とを結んだ直線の角度と同一の角度などが挙げられる。
【００２９】
一方、ばっ気槽４の槽壁３８の上部には、上記所定の角度となった場合のユニット側ブレス３６の延長線上に槽壁側ヒンジ４０が設置されており、この槽壁側ヒンジ４０に槽壁側ブレス３９の基部が上下方向に遥動自在に支持されている。槽壁側ブレス３９は略棒状に形成された部材であり、その端部には雄ネジ部３９ａが形成されている。また、槽壁側ブレス３９は、上記膜濾過ユニット５の位置が保持された状態において、ユニット側ブレス３６と同様に所定の角度で槽壁側ヒンジ４０に支持される。ここで、雄ネジ部３９ａは前述した雄ネジ部３６ａに対して逆ネジに形成されている。
【００３０】
そして、ユニット側ブレス３６の端部と槽壁側ブレス３９の端部とは、原水の水面より上方でターンバックル４５を介して接続されるようになっている。具体的には、ターンバックル４５は、その両端にそれぞれ雌ネジ部を備えており、ユニット側ブレス３６の端部の雄ネジ部３６ａをターンバックル４５の一方の雌ネジ部に螺合し、さらに、槽壁側ブレス３９の端部の雄ネジ部３９ａをターンバックル４５の他方の雌ネジ部に螺合することで、ターンバックル４５とユニット側ブレス３６、ターンバックル４５と槽壁側ブレス３９がそれぞれ接続される。なお、上述したユニット側ブレス３６と槽壁側ブレス３９とターンバックル４５とで支持部材が構成されている。
【００３１】
ここで、ユニット側ブレス３６と槽壁側ブレス３９との距離は、ターンバックル４５によって調整可能となっている。具体的には、ターンバックル４５の両端の雌ネジ部にそれぞれ雄ネジ部３６ａ，３９ａを螺合した状態で、ターンバックル４５を互いに逆ネジとなっている雄ネジ部３６ａ，３９ａの周方向に沿って回動させることで、ユニット側ブレス３６の端部と槽壁側ブレス３９の端部とが回動方向に応じて離間および接近する方向に自在に変位することとなる。なお、上述したユニット側ブレス３６の長さと槽壁側ブレス３９の長さとターンバックル４５の長さとを加算した長さは、４つのユニット側ヒンジ３７から槽壁側ヒンジ４０までの平均的な距離よりも若干長く設定されており、この若干長く設定された長さ分が調整しろとして利用できるようになっている。
【００３２】
次に、上述した膜濾過ユニット５の固定方法の一例を説明する。
まず、膜濾過ユニット５をばっ気槽４内の原水に浸漬させる前に、ポート３２に管路２２ａの一方の端部を接続し、ポート３３に分岐送気管１６の一方の端部を接続する。そして、ユニット側ヒンジ３７にその一端が遥動自在に支持されているユニット側ブレス３６の他端を上方に向けた状態で仮固定し、膜濾過ユニット５をばっ気槽４内の原水に浸漬させる。
【００３３】
そして、膜濾過ユニット５をばっ気槽４内の原水に浸漬させたら、次に、隣り合ういずれか２つのユニット側ブレス３６の雄ネジ部３６ａの端部と、当該ユニット側ブレス３６に対応する位置の槽壁側ブレス３９の雄ネジ部３９ａの端部とをつき合わせ、これら雄ネジ部３６ａと雄ネジ部３９ａとを水面よりも上方でターンバックル４５に螺合して、ユニット側ブレス３６と槽壁側ブレス３９とを接続させる。そして、これらユニット側ブレス３６と槽壁側ブレス３９とを接続した後に、同様に、残りの２つのユニット側ブレス３６と槽壁側ブレス３９とをターンバックル４５を介して水面よりも上方で順次接続する。
【００３４】
ここで、上述したユニット側ブレス３６の４つ全てが槽壁側ブレス３９と単に接続されただけでは、膜濾過ユニット５の水平方向や垂直方向の位置決めがなされていない。そのため、管路２２ａの他方の端部と分岐送気管１６の他方の端部とをフランジ３４，３５の位置にあわせると同時に、膜濾過ユニット５の前後方向・左右方向・上下方向の位置を調整すべく、各ターンバックル４５を回動させてユニット側ヒンジ３７と槽壁側ヒンジ４０との間の距離を調節する。そしてフランジ３４と管路２２ａ、フランジ３４と分岐送気管１６の位置が合致するとともに膜濾過ユニット５の位置決めがなされたら、管路２２ａの他方の端部と分岐送気管１６の他方の端部とをそれぞれフランジ３４，３５に接続して膜濾過ユニット５の固定作業を終了する。なお、膜濾過ユニット５の取り外し方法は、上記した固定方法と逆の手順で行えばよいため、取り外し方法についての詳細説明は省略する。
【００３５】
したがって、上述した実施の形態によれば、ばっ気槽４内の原水に浸漬された膜濾過ユニット５の上端に複数のユニット側ブレス３６の基部が遥動自在に支持され、また、ばっ気槽４の槽壁３８上部に複数の槽壁側ブレス３９の基部が遥動自在に支持され、これらユニット側ブレス３６の雄ネジ部３６ａと槽壁側ブレス３９の雄ネジ部３９ａとがターンバックル４５を介して接続されることで、ばっ気槽４の槽壁３８上部から槽壁側ブレス３９、ターンバックル４５およびユニット側ブレス３６の順に槽壁３８上部から下方に向かって直線状に連なって膜濾過ユニット５に至り、これら槽壁側ブレス３９、ターンバックル４５およびユニット側ブレス３６で膜濾過ユニット５を上方から押さえつけた状態で固定することができるため、浮力により膜濾過ユニット５の姿勢が不安定になるのを防止することができる。
【００３６】
さらに、槽壁側ブレス３９とユニット側ブレス３６とをターンバックル４５によって水面より上方で接続することができるため、メンテナンスなどで膜濾過ユニット５の出し入れ作業を行う際に、膜濾過ユニット５に脚部を設けてばっ気槽４の底部に固定する場合と比較して、原水中での作業を行う必要がない分、作業者の負担を軽減することができる。
【００３７】
また、膜濾過ユニット５をばっ気槽４の原水に浸漬した状態で、前後方向・左右方向・上下方向のいずれの方向の変位も規制することができるため、管路２２ａや分岐送気管１６に応力がかかるのを抑制し、これら管路２２ａ、分岐送気管１６の負担を軽減することができる。
さらに、例えば、膜濾過ユニット５の四隅の対向する２箇所と槽壁３８との間に槽壁側ブレス３９とユニット側ブレス３６とをターンバックル４５とからなる支持部材を設けると、膜濾過ユニット５が回転して浮き上がってしまう虞があり、また、膜濾過ユニット５の任意の３箇所と双璧３８との間に支持部材を設けた場合には、支持部材に作用する重量バランスが崩れてしまうが、この実施の形態のように、膜濾過ユニット５の四隅の全てに、槽壁側ブレス３９とユニット側ブレス３６とをターンバックル４５とからなる支持部材を設けたことで、膜濾過ユニット５を安定的に保持することができる。
【００３８】
なお、上述した実施の形態では、ばっ気槽４に複数の膜濾過ユニット５を浸漬している場合を説明したが、小型のばっ気槽４に膜濾過ユニット５を１台だけ浸漬するものに適用してもよい。
また、ユニット側ヒンジ３７を枠体３０の上端の四隅に設けた場合について説明したが、四隅に限られるものではない。
【００３９】
さらに、上述した実施の形態では、ユニット側ブレス３６と槽壁側ブレス３９との長さを同等に設定する場合について説明したが、これに限られるものではなく、ターンバックル４５による接続部分が水面よりも上方となれば適宜の長さに設定してもよい。
【００４０】
また、ユニット側ヒンジ３７は一例であって、膜濾過ユニット５対してユニット側ブレス３６の基部が余裕を持って動くことができれば、膜濾過ユニット５にユニット側ブレス３６の基部を遊装固定したり、ユニバーサルジョイントを用いて上下左右両方向に自由に動けるようにしても良い（槽壁側ヒンジ４０も同様）。
【図面の簡単な説明】
【００４１】
【図１】本発明の実施の形態における膜分離活性汚泥処理装置の概略構成図である。
【図２】本発明の実施の形態におけるばっ気槽内に固定された膜濾過ユニットの上面図である。
【図３】本発明の実施の形態における図２のＡ方向から見た矢視図である。
【符号の説明】
【００４２】
５  膜濾過ユニット
３６ａ  雄ネジ部（ネジ部）
３６  ユニット側ブレス
３８  槽壁
３９ａ  雄ネジ部（ネジ部）
３９  槽壁側ブレス
４５  ターンバックル
【図１】
2008194556.tif 000003
【図２】
2008194556.tif 000004
【図３】
2008194556.tif 000005